(57)【特許請求の範囲】
【請求項１】
用紙導入口と排紙口と前記用紙導入口から前記排紙口へ到る用紙搬送経路とが設けられた本体部と、
前記本体部に設けられ、前記用紙導入口から用紙を導入して前記用紙搬送経路に沿って搬送する搬送機構と、
前記本体部に設けられ、前記本体部に導入された用紙に印字を行う印字部と、
前記搬送機構を覆う第１の位置と前記搬送機構を露出させ且つ前記排紙口から搬出される用紙を受ける第２の位置との間で移動可能に、前記本体部に回動可能に連結されたカバー部材と、
を備え、
前記カバー部材は、前記第１の位置で前記搬送機構に対向する対向面と、当該カバー部材における前記対向面とは反対側の面であって前記第２の位置で用紙を受ける受け面と、を有し、
前記本体部には、当該本体部の上面から背面の下部に亘った開口が設けられ、
前記用紙導入口は、前記背面の下部に設けられて前記開口に含まれ、
前記カバー部材は、前記第１の位置に位置した場合、前記用紙導入口が開放された状態で、前記開口の一部を覆い、
前記排紙口は、前記上面に設けられ、
前記カバー部材は、前記本体部に連結された第１のカバー部と前記第１のカバー部に連結された第２のカバー部とを有し、
前記第２のカバー部は、前記第１のカバー部に収納及び引出可能に支持された第１の部分と、前記第１の部分の先端部に接続された第２の部分と、を有し、
前記第２の部分は、前記第１の部分が前記第１のカバー部に収納されて前記カバー部材が前記第１の位置にした場合、前記第１の部分に沿う方向とは異なる方向且つ前記背面に沿う方向に延在し、前記カバー部材が前記第２の位置に位置した場合、前記排紙口から離れる方向に延在するプリンタ。
【請求項２】
前記第１の位置と前記第２の位置とのいずれかの位置に前記カバー部材を保持可能な保持部を備える請求項１に記載のプリンタ。
【請求項３】
前記保持部は、前記カバー部材に設けられた軸部と、前記本体部に設けられて前記軸部と係合した係合部と、を有し、
前記カバー部材は、前記軸部を中心軸として前記本体部に対して回動可能であり、
前記軸部は、当該軸部の軸心と直交する断面が円弧状に形成された曲面部と前記軸部の軸心回りでの前記曲面部の両端部を接続した平面部とが設けられた外周面を有し、
前記係合部は、
前記カバー部材が前記第１の位置に位置した状態で、前記曲面部と当接して前記軸部を支持する第１の支持部と、
前記カバー部材が前記第２の位置に位置した状態で、前記平面部と当接して前記第２の位置から前記第１の位置へ向かう方向への前記軸部の回動を規制する第２の支持部と、
前記第１の支持部と前記第２の支持部との間に設けられ、前記係合部に対する前記軸部の姿勢が前記第１の位置に前記カバー部材が位置したときとは異なる規定姿勢のときに、前記第１の支持部と前記第２の支持部との間での前記軸部の移動を許容する通路部と、
を有する請求項２に記載のプリンタ。
【請求項４】
前記カバー部材は、前記第２の位置に位置したときよりも当該カバー部材の先端部が前記用紙導入口から離間する第３の位置に回動可能であり、
前記保持部は、前記カバー部材を前記第３の位置に保持可能であることを特徴とする請求項１ないし３のいずれか一項に記載のプリンタ。
【請求項５】
請求項１ないし４のいずれか一項に記載のプリンタと、
情報を表示画面に表示する表示器と、
を備え、
前記カバー部材は、前記表示器における前記表示画面側の反対側に配置されていることを特徴とする情報処理装置。
【発明の詳細な説明】
【技術分野】
【０００１】
本発明の実施形態は、プリンタ及び情報処理装置に関する。
【背景技術】
【０００２】
従来、表示器と、連続帳票等の帯状の用紙をトラクタによって搬送して印字部によって印字を行うプリンタと、を備える情報処理装置が知られている。このようなプリンタとして、排紙口から排出された用紙を受ける排紙トレイや、開閉可能に設けられてトラクタを覆うカバーが設けられているものがある。
【発明の概要】
【発明が解決しようとする課題】
【０００３】
上記排紙トイレ及びカバーを備える上記従来のプリンタでは、構造の簡素化が求められている。
【課題を解決するための手段】
【０００４】
実施形態のプリンタは、本体部と、搬送機構と、印字部と、カバー部材と、を備える。前記本体部には、用紙導入口と排紙口と前記用紙導入口から前記排紙口へ到る用紙搬送経路とが設けられている。前記搬送機構は、前記本体部に設けられ、前記用紙導入口から用紙を導入して前記用紙搬送経路に沿って搬送する。前記印字部は、前記本体部に設けられ、前記本体部に導入された用紙に印字を行う。前記カバー部材は、前記搬送機構を覆う第１の位置と前記搬送機構を露出させ且つ前記排紙口から搬出される用紙を受ける第２の位置との間で移動可能に、前記本体部に回動可能に連結されている。前記カバー部材は、前記第１の位置で前記搬送機構に対向する対向面と、当該カバー部材における前記対向面とは反対側の面であって前記第２の位置で用紙を受ける受け面と、を有している。前記本体部には、当該本体部の上面から背面の下部に亘った開口が設けられている。前記用紙導入口は、前記背面の下部に設けられて前記開口に含まれている。前記カバー部材は、前記第１の位置に位置した場合、前記用紙導入口が開放された状態で、前記開口の一部を覆う。前記排紙口は、前記上面に設けられている。前記カバー部材は、前記本体部に連結された第１のカバー部と前記第１のカバー部に連結された第２のカバー部とを有している。前記第２のカバー部は、前記第１のカバー部に収納及び引出可能に支持された第１の部分と、前記第１の部分の先端部に接続された第２の部分と、を有している。前記第２の部分は、前記第１の部分が前記第１のカバー部に収納されて前記カバー部材が前記第１の位置にした場合、前記第１の部分に沿う方向とは異なる方向且つ前記背面に沿う方向に延在し、前記カバー部材が前記第２の位置に位置した場合、前記排紙口から離れる方向に延在する。
【図面の簡単な説明】
【０００５】
【図１】図１は、実施形態にかかる情報処理装置としての事務機器を背面側から見て示す斜視図であって、カバー部材が第１の位置に位置した状態を示す図である。
【図２】図２は、実施形態にかかる事務機器を正面側から見て示す斜視図であって、カバー部材が第２の位置に位置した状態を示す図である。
【図３】図３は、実施形態にかかる事務機器を背面側から見て示す斜視図であって、カバー部材が第３の位置に位置した状態を示す図である。
【図４】図４は、実施形態にかかる事務機器を示す縦断側面図であって、カバー部材が第２の位置に位置した状態を示す図である。
【図５】図５は、実施形態にかかるカバー部材を後方から見て示す斜視図である。
【図６】図６は、図５のVI矢視図であって、実施形態にかかるカバー部材に設けられた軸部を示す図である。
【図７】図７は、図３のVII部を示す斜視図であって、実施形態にかかる本体部に設けられた係合部を示す図である。
【図８】図８は、図７のVIII矢視図であって、実施形態にかかる係合部を示す図である。
【図９】図９は、実施形態の軸部と係合部との関係を説明するための説明図である。
【発明を実施するための形態】
【０００６】
以下、図面を参照して、実施形態にかかる情報処理装置としての事務機器１について詳細に説明する。なお、各図では、便宜上、事務機器１及び事務機器１が備えるプリンタ２の幅方向をＸ方向、奥行き方向をＹ方向、高さ方向をＺ方向と記す。なお、これらＸ方向、Ｙ方向、及びＺ方向は相互に直交している。また、以下の説明では、事務機器１を使用するオペレータ（ユーザ）の視線でＹ方向の手前側を事務機器１の前方、Ｙ方向の奥側を事務機器１の後方と記す。
【０００７】
図１及び図２に示すように、事務機器１は、プリンタ２や、入力操作部としてのキーボード３、表示出力部としての表示器４等を、備えている。キーボード３及び表示器４は、プリンタ２の前面２ａ側に配置されている。したがって、オペレータ（ユーザ）は、プリンタ２の前方側となる位置で、事務機器１を使用する。プリンタ２の筐体１０ａには、ＣＰＵやメモリ等によって構成される情報処理部が内蔵されており、この情報処理部が、事務機器１の各部を制御する。
【０００８】
表示器４は、略直方体状の筐体４ａと、この筐体４ａに支持されて情報を表示する表示画面４ｂとを有している。表示器４には、タッチパネルが設けられている。表示器４は、タッチパネルとによって、入力操作部を構成している。
【０００９】
プリンタ２は、ワイヤドットプリンタである。図１ないし図４に示すように、プリンタ２は、本体部１０を備えている。本体部１０の筐体１０ａには、用紙導入口である第１の用紙導入口１０ｂと、第２の用紙導入口１０ｃと、排紙口１０ｄと、が設けられ、筐体１０ａの内部には、第１の用紙導入口１０ｂから排紙口１０ｄへ到る第１の用紙搬送経路１０ｅと、第２の用紙導入口１０ｃから排紙口１０ｄへ到る第２の用紙搬送経路１０ｆと、が設けられている。また、プリンタ２は、第１の用紙搬送経路１０ｅ及び第２の用紙搬送経路１０ｆに沿って用紙を搬送する搬送部１１（図４）と、搬送される用紙に印字を行う印字部１２と、本体部１０に移動可能に連結されたカバー部材１５と、を備えている。
【００１０】
このプリンタ２では、搬送部１１は、第１の用紙導入口１０ｂからは帯状の用紙Ｓを本体部１０内に導入し、導入した帯状の用紙Ｓを第１の用紙搬送経路１０ｅに沿って搬送する。搬送部１１は、第２の用紙導入口１０ｃからは単票の用紙を本体部１０内に導入し、導入した単票の用紙を第２の用紙搬送経路１０ｆに沿って搬送する。そして、印字部１２が、本体部１０に導入された帯状の用紙Ｓや単票の用紙に印字を行う。印字後の帯状の用紙Ｓや単票の用紙は、搬送部１１によって排紙口１０ｄから排出される。以下、プリンタ２の各部を詳しく説明する。
【００１１】
第１の用紙導入口１０ｂは、筐体１０ａの後面１０ｇの下部に形成されている。詳細には、第１の用紙導入口１０ｂは、筐体１０ａの一対の側壁部１０ｈの間に形成されている。この第１の用紙導入口１０ｂからは、前述の通り帯状の用紙Ｓが導入される。このように、第１の用紙導入口１０ｂが筐体１０ａの後面１０ｇの下部に形成されているので、プリンタ２の後方に用紙Ｓのスタック（図示せず）を配置して、用紙Ｓを第１の用紙導入口１０ｂから導入することができる。
【００１２】
第２の用紙導入口１０ｃは、本体部１０の筐体１０ａの前面１０ｉに形成されている。この第２の用紙導入口１０ｃからは、単票の用紙が導入される。第２の用紙導入口１０ｃは、表示器４の下方となる位置で、プリンタ２の前方側、すなわち、オペレータ側に開口している。したがって、オペレータは、単票の用紙を第２の用紙導入口１０ｃに比較的容易に挿入することができる。
【００１３】
排紙口１０ｄは、プリンタ２の筐体１０ａの上面１０ｊに形成されている。排紙口１０ｄは、表示器４の後方に位置している。
【００１４】
第１の用紙搬送経路１０ｅと第２の用紙搬送経路１０ｆとは、印字部１２の上流側で合流しており、合流点から下流は共通経路１０ｋとなっている。これら第１の用紙搬送経路１０ｅ及び第２の用紙搬送経路１０ｆは、搬送部１１、印字部１２及びガイド板（図示せず）等によって形成されている。
【００１５】
印字部１２は、図４に示すように、筐体１０ａの内部に設けられている。印字部１２は、ワイヤドットプリンタヘッド１６とプラテン１７とを有している。印字部１２では、ワイヤドットプリンタヘッド１６が、プラテン１７によって支持された用紙にインクリボン（図示せず）を押し付けてインクを用紙に転写することで、用紙に印字を行う。
【００１６】
用紙搬送部１１は、図４に示すように、第１の用紙搬送経路１０ｅの上流部に位置するトラクタ１８と、第２の用紙搬送路１０ｆの上流部及び共通経路１０ｋに位置する複数のローラ対１９と、を有している。用紙搬送部１１は、第１の用紙搬送経路１０ｅでは、トラクタ１８及び共通経路１０ｋに位置するローラ対１９によって帯状の用紙Ｓを搬送し、第２の用紙搬送路１０ｆでは、全てのローラ対１９によって単票の用紙を搬送する。
【００１７】
ローラ対１９は、駆動ローラ１９ａと従動ローラ１９ｂとを有しており、駆動ローラ１９ａが駆動源であるモータによって回転駆動されることで、駆動ローラ１９ａと従動ローラ１９ｂとで用紙を挟持搬送する。
【００１８】
トラクタ１８は、第１の用紙導入口１０ｂから用紙を本体部１０内に導入して第１の用紙搬送経路１０ｅに沿って用紙を搬送する搬送機構である。トラクタ１８は、図３及び図４に示すように、一対のベルトユニット１８ａと、一対のベルトユニット１８ａ間に架け渡された複数のシャフト１８ｂと、を有している。これら一対のベルトユニット１８ａは、帯状の用紙Ｓの幅方向（Ｘ方向）の両側の端縁部に対応する位置に、配置されている。複数のシャフト１８ｂは、いずれもＸ方向に沿って伸びている。一対のベルトユニット１８ａは、これら複数のシャフト１８ｂを介して一体化されている。また、一対のベルトユニット１８ａのうち少なくともいずれか一方をシャフト１８ｂに沿ってスライド可能に構成することにより、それら一対のベルトユニット１８ａ間の間隔を、複数のシャフト１８ｂに沿って可変設定することができる。このように、一対のベルトユニット１８ａ間のＸ方向の間隔を変化させることで、幅の異なる帯状の用紙Ｓに対応することができる。また、複数のシャフト１８ｂには、帯状の用紙Ｓの下面に沿う弓形のガイドプレート１８ｃが取り付けられている。ベルトユニット１８ａは、複数のピン（図示せず）が一列状に外周面に突設された無端ベルト１８ｄと、開閉カバー１８ｅとを有している。ベルトユニット１８ａにおいては、無端ベルト１８ｄのピンに用紙Ｓのピン穴を外挿した状態で開閉カバー１８ｅを閉じることで、ベルトユニット１８ａに用紙を係合することができる。このトラクタ１８は、無端ベルト１８ｄがシャフト１８ｂを介してモータ（図示せず）によって輪転駆動されることで、帯状の用紙Ｓを搬送するようになっている。ガイドプレート１８ｃは、帯状の用紙Ｓの下面に接触して、用紙Ｓを案内する。なお、一対のベルトユニット１８ａは、用紙の幅方向中間部のＹＺ平面について面対称に形成されている。
【００１９】
カバー部材１５は、図１ないし図４に示すように、概略矩形の板状に形成され、表示器４における表示画面４ｂ側の反対側に配置されている。カバー部材１５は、プリンタ２の幅方向（Ｘ方向）に沿った軸部２３（図５参照）を中心軸として本体部１０に対して回動可能に保持部２２に支持されている。詳細には、カバー部材１５は、トラクタ１８を覆う第１の位置（図１）と、トラクタ１８を露出させ且つ排紙口１０ｄから搬出される用紙を受ける第２の位置（図２，図４）と、第１の位置から第２の位置への回動方向で第２の位置から更に回動した第３の位置（図３）と、の間で移動可能に、本体部１０の筐体１０ａに保持部２２によって連結されている。第３の位置は、カバー部材１５が第２の位置に位置したときよりもカバー部材１５の先端部１５ｃが用紙導入口１０ｂやトラクタ１８から離間する位置である。カバー部材１５は、第１の位置では、本体部１０の筐体１０ａの一対の側壁部１０ｈ間に位置する。カバー部材１５は、第２の位置では、起立且つ後傾している。カバー部材１５は、第３の位置では、起立且つ前傾している。
【００２０】
カバー部材１５は、図５に示すように、ケース部２０と、ケース部２０に連結された引出板部２１と、を有している。ケース部２０は、引出板部２１を収納及び引出可能に支持しており、これにより、カバー部材１５は伸縮可能となっている。
【００２１】
ケース部２０は、図３ないし図５等に示すように、本体部１０の筐体１０ａに支持部によって連結された連結部２０ａと、この連結部２０ａから延出した第１の平板部２０ｂと、第１の平板部２０ｂの幅方向の両端部に設けられた一対のガイドレール部２０ｃと、を有している。連結部２０ａは、プリンタ２の幅方向（Ｘ方向）に延在している。第１の平板部２０ｂは、プリンタ２の幅方向と直交する方向に延在している。一対のガイドレール部２０ｃは、プリンタ２の幅方向と直交する方向に延在しており、引出板部２１が挿入される溝部を構成している。一対のガイドレール部２０ｃには、引出板部２１の幅方向の両端部が摺動可能に挿入されており、一対のガイドレール部２０ｃは、引出板部２１を、スライド可能に支持している。一対のガイドレール部２０ｃは、引出板部２１との摩擦力によって、引出板部２１を位置決めする。
【００２２】
引出板部２１は、幅方向の両端部が一対のガイドレール部２０ｃに保持される第２の平板部２１ａと、この第２の平板部２１ａの先端部に角度を持って接続された折り曲げ板部２１ｂと、を有している。
【００２３】
このカバー部材１５は、引出板部２１がケース部２０に収納された形態で、第１及び第３の位置に位置することが可能である。カバー部材１５は、第２の位置では、引出板部２１がケース部２０に収納された状態または引出板部２１がケース部２０から引き出された形態で使用される。
【００２４】
カバー部材１５は、第１の位置でトラクタ１８に対向する対向面１５ａと、当該カバー部材１５における対向面１５ａとは反対側の面であって第２の位置で用紙を受ける受け面１５ｂと、を有している。対向面１５ａは、ケース部２０の裏面及び引出板部２１の裏面を含む。受け面１５ｂは、ケース部２０の表面及び引出板部２１の表面を含む。
【００２５】
次に、保持部２２について説明する。保持部２２は、図４や図５、図９に示すようにカバー部材１５に設けられた左右一対の軸部２３と、図４や図７、図９に示すように本体部１０に設けられて軸部２３と係合した左右一対の係合部２４と、図３に示すように本体部１０に設けられたストッパ部２５と、を有している。この保持部２２は、第１の位置と第２の位置と第３の位置のいずれかの位置にカバー部材１５を保持可能である。
【００２６】
ストッパ部２５は、図３に示すように、本体部１０の一対の側壁部１０ｈのうちの一方の側壁部１０ｈの内面に突設されてプリンタ２の幅方向に延在している。ストッパ部２５は、ピン状に形成されている。このストッパ部２５には、第１の位置に位置したカバー部材１５の対向面（裏面）１５ａが当接し、この状態でストッパ部２５は、カバー部材１５の下方への回動を規制する。
【００２７】
軸部２３は、図５に示すように、ケース部２０の連結部２０ａの幅方向の両端部のそれぞれに突設されて、プリンタ２の幅方向に延在している。軸部２３は、図５及び図６に示すように、当該軸部２３の軸心２３ｅと直交する断面が円弧状に形成された曲面部２３ａと軸部２３の軸心２３ｅ回りでの曲面部２３ａの両端部を接続した平面部２３ｂとが設けられた外周面２３ｃを有している。
【００２８】
係合部２４は、図４及び図７に示すように、本体部１０の一対の側壁部１０ｈのそれぞれに設けられている。係合部２４は、側壁部１０ｈに設けられた板部２４ａに孔２４ｂが形成されることで、形成されている。係合部２４は、第１の支持部２４ｃと、第２の支持部２４ｄと、通路部２４ｅと、を有している。
【００２９】
第１の支持部２４ｃは、図８及び図９に示すように、孔周面２４ｆの上部に円弧状に形成されており、軸部２３を回動可能に支持する。第１の支持部２４ｃは、カバー部材１５が第１の位置に位置した状態で、軸部２３の曲面部２３ａと当接して軸部２３を支持する。
【００３０】
第２の支持部２４ｄは、孔周面２４ｆの下部に形成されている。第２の支持部２４ｄは、孔周面２４ｆの前面に形成された第１の当接面２４ｇと、孔周面２４ｆの下面に形成された第２の当接面２４ｈと、孔周面２４ｆの後面に形成された第３の当接面２４ｉとを有している。第１の当接面２４ｇは、カバー部材１５が第２の位置に位置した状態で、軸部２３の平面部２３ｂと当接する。第２の当接面２４ｈは、カバー部材１５が第２の位置に位置した状態で、軸部２３の曲面部２３ａの下部に当接する。第３の当接面２４ｉは、カバー部材１５が第２の位置に位置した状態で、軸部２３の曲面部２３ａの頂部２３ｄと当接する。ここで、曲面の頂部２３ｄは、平面部２３ｂに対しての頂部である。第２の支持部２４ｄは、カバー部材１５が第２の位置に位置した状態で、軸部２３の平面部２３ｂと当接して第２の位置から第１の位置へ向かう方向への軸部２３の回動を規制する。詳しくは、カバー部材１５が第２の位置に位置した状態では、カバー部材１５は後傾しているので、カバー部材１５は、第２の位置から第１の位置へ向かう方向へ自重によって回動しようとするが、第２の支持部２４ｄが、軸部２３の平面部２３ｂと当接してその回動を規制する。
【００３１】
通路部２４ｅは、第１の支持部２４ｃと第２の支持部２４ｄとの間に延在して設けられており、通路部２４ｅは、第１の支持部２４ｃと第２の支持部２４ｄとの間の孔周面２４ｆを含んでいる。通路部２４ｅは、第１の支持部２４ｃと第２の支持部２４ｄとに連通している。通路部２４ｅは、係合部２４に対する軸部２３の姿勢が、第１の位置にカバー部材１５が位置したときとは異なる規定姿勢のときに、第１の支持部２４ｃと第２の支持部２４ｄとの間での軸部２３の移動を許容し、軸部２３の移動を案内する。軸部２３の規定姿勢は、第２の位置にカバー部材１５が位置したときの当該軸部２３の姿勢と略同じ姿勢である。つまり、通路部２４ｅは、カバー部材１５が第１の位置に位置した状態では、軸部２３の通過を規制（阻止）し、カバー部材１５が、第２の位置に位置したときと同じ姿勢のときに、軸部２３の通過を許容する。このような通路部２４ｅの幅ａ（図８）は、軸部２３における曲面部２３ａの頂部２３ｄから平面部２３ｂまでの幅ｂ（図６）よりも大きく形成され、且つ曲面部２３ａでの軸部２３の直径ｃ（図６）よりも小さく形成されている。このような通路部２４ｅは、軸部２３の平面部２３ｂを案内する第１の案内面２４ｊと、軸部２３の曲面部２３ａの頂部２３ｄを案内する第２の案内面２４ｋとを有する。第１の案内面２４ｊは、第２の案内面２４ｋの前方に位置している。
【００３２】
また、係合部２４は、第２の支持部２４ｄに連続して形成された第３の支持部２４ｍを有している。第３の支持部２４ｍは、孔周面２４ｆの前面に形成された第４の当接面２４ｎと、第４の当接面２４ｎの上端に接続された第５の当接面２４ｐと、第２の当接面２４ｈとを有している。第４の当接面２４ｎは、第２の支持部２４ｄの前方斜め上方の位置に形成されている。第４の当接面２４ｎは、カバー部材１５が第３の位置に位置した状態で、軸部２３の平面部２３ｂと当接する。第５の当接面２４ｐは、カバー部材１５が第３の位置に位置した状態で、軸部２３の曲面部２３ａの前部と当接する。第２の当接面２４ｈは、カバー部材１５が第３の位置に位置した状態で、軸部２３の下部と当接する。この第３の支持部２４ｍは、カバー部材１５が第３の位置に位置した状態で、軸部２３の平面部２３ｂと当接して軸部２３を支持する。詳しくは、カバー部材１５が第３の位置に位置した状態では、カバー部材１５は前傾しているので、カバー部材１５は、第３の位置から前方（第２の位置に向かう方向と逆の方向）へ自重によって回動しようとするが、第３の支持部２４ｍが、軸部２３の平面部２３ｂと当接してその回動を規制する。
【００３３】
第２の支持部２４ｄと第３の支持部２４ｍとは、連続して形成されており、第２の位置と第３の位置との間での軸部２３の回動を許容している。当該回動の際には、軸部２３の曲面部２３ａを、第２の当接面２４ｈと第３の当接面２４ｉと第５の当接面２４ｐとが案内する。
【００３４】
以上の構成の保持部２２は、カバー部材１５が第１の位置（図１、図９の（ａ））に位置した場合、第１の支持部２４ｃが軸部２３の曲面部２３ａを支持するとともに、ストッパ部２５がカバー部材１５の対向面（裏面）１５ａを支持して、カバー部材１５を第１の位置に位置決めする。この状態から、第２の位置（図２、図９の（ｂ））へカバー部材１５を移動させる場合には、オペレータは、手でカバー部材１５を第２の位置へ向けて（前方へ）回動させて、カバー部材１５を第２の位置に位置した場合と同じ姿勢（角度）にして、カバー部材１５を下方へ押す。これにより、カバー部材１５は通路部２４ｅに案内されて第２の支持部２４ｄに移動し、軸部２３の平面部２３ｂが第２の支持部２４ｄに当接し、第２の支持部２４ｄが軸部２３を支持する。これにより、保持部２２がカバー部材１５を第２の位置に位置決めする。この状態から、第３の位置（図３、図９の（ｃ））へカバー部材１５を移動させる場合には、オペレータは、手でカバー部材１５を第３の位置へ向けて（前方へ）回動させる。これにより、カバー部材１５は第５の当接面２４ｐ等に案内されて第３の支持部２４ｍに移動して、軸部２３の平面部２３ｂが第３の支持部２４ｍに当接し、第３の支持部２４ｍが軸部２３を支持する。これにより、保持部２２が第３の位置にカバー部材１５を位置決めする。このように、カバー部材１５は、第１の位置と第２の位置との間で移動可能であり、且つ第１の位置から第２の位置への回動方向で、第２の位置から第３の位置に移動可能である。そして、保持部２２は、カバー部材１５を第１ないし第３のいずれかの位置に保持可能である。なお、第３の位置から第２の位置、第２の位置から第１の位置へカバー部材１５を移動させる場合には、オペレータは、上記操作と逆の手順の操作をすれば良い。
【００３５】
以上説明したように、本実施形態では、プリンタ２のカバー部材１５が、トラクタ１８を覆う第１の位置と、トラクタ１８を露出させ且つ排紙口１０ｄから搬出される用紙を受ける第２の位置との間で移動可能に、本体部１０に連結されている。つまり、カバー部材１５が、排紙口１０ｄから排紙される用紙を受ける排紙トレイを兼ねている。したがって、本実施形態によれば、カバー部材１５と排紙トレイとが別々に独立して設けられた構成に比べて、プリンタ２の部品点数を削減してプリンタ２の構造を簡素化することができる。
【００３６】
また、本実施形態では、カバー部材１５は、第２の位置に位置したときよりも当該カバー部材１５の先端部１５ｃが第１の用紙導入口１０ｂから離間する第３の位置に回動可能である。したがって、カバー部材１５を第３の位置に位置付けて、本体部１０を開放させることができるので、トラクタ１８への用紙セット作業を容易化することができる。
【００３７】
ところで、排紙トイレ及びカバーがそれぞれ独立して設けられた従来のプリンタを有する事務機器では、排紙トレイが機器本体部から突出しているので、運搬時に邪魔となる。そこで、従来では、事務機器の出荷の際に、排紙トレイを機器本体から取り外すという運用が取られる場合がある。これに対して、本実施形態の事務機器１では、カバー部材１５を第１の位置に位置付けることで、カバー部材１５が筐体１０ａの一対の側壁部１０ｈ間に位置するので、カバー部材１５が運搬の邪魔となることを抑制することができる。これにより、梱包及び開梱作業の作業時間を減少することができる。また、事務機器１の非使用時に突起部を少なくすることができ、事務機器１の形状がすっきりした形状となる。
【００３８】
なお、本実施形態では、プリンタ２として、ワイヤドットプリンタを例に説明したがこれに限るものではなく、プリンタ２としては、例えばサーマルプリンタやインクジェットプリンタ等であっても良い。
【００３９】
以上説明した実施形態によれば、プリンタ２の構造を簡素化することができる。
【符号の説明】
【００４０】
１…事務機器（情報処理装置）
２…プリンタ
４…表示器
４ｂ…表示画面
１０…本体部
１０ｂ…第１の用紙導入口（用紙導入口）
１０ｄ…排紙口
１０ｅ…第１の用紙搬送経路（用紙搬送経路）
１２…印字部
１５…カバー部材
１５ａ…対向面
１５ｂ…受け面
１８…トラクタ（搬送機構）
２２…保持部
２３…軸部
２３ａ…曲面部
２３ｂ…平面部
２３ｃ…外周面
２３ｅ…軸心
２４…係合部
２４ｃ…第１の支持部
２４ｄ…第２の支持部
２４ｅ…通路部
Ｓ…用紙
【先行技術文献】
【特許文献】
【００４１】
【特許文献１】特開平６−３１９９１号公報
【図１】
0005183693.tif 000002
【図２】
0005183693.tif 000003
【図３】
0005183693.tif 000004
【図４】
0005183693.tif 000005
【図５】
0005183693.tif 000006
【図６】
0005183693.tif 000007
【図７】
0005183693.tif 000008
【図８】
0005183693.tif 000009
【図９】
0005183693.tif 000010